(57)【特許請求の範囲】
【請求項１】
１次無線アクセス技術（ＲＡＴ）の１次ノード、及び前記１次ＲＡＴ及び２次ＲＡＴを介して通信可能なユーザ機器（ＵＥ）と、通信可能な前記２次ＲＡＴのノードが実施する方法であって：
前記ノードのネットワークインターフェースユニットにおいて、前記１次ＲＡＴが過剰状態にあることを表示する前記１次ノードからのメッセージを受信するステップであって、複数の前記ＵＥのうちの１つのＵＥから、前記１次ＲＡＴが過剰状態にあるというアップリンクメッセージを受信することを含む、受信するステップ；
前記ノードの処理ユニットを用いて、前記ＵＥが前記１次ＲＡＴと通信することを試みないように、ＵＥメッセージを生成するステップ；及び
前記ノードの前記ネットワークインターフェースユニットを介して、前記ＵＥへ前記メッセージを送るステップを含む、方法。
【請求項２】
前記送るステップは、前記１次ＲＡＴが前記過剰状態にあり、かつ各々のＵＥは前記１次ＲＡＴにスイッチバックしないことを表示するブロードキャストメッセージを前記ＵＥに送るステップを含む、請求項１に記載の方法。
【請求項３】
前記送るステップは、各々のＵＥが前記１次ＲＡＴにスイッチバックしないように、前記ブロードキャストメッセージが各々のＵＥの中の他のＲＡＴネイバーリストファンクションに影響を及ぼすステップを含む、請求項２に記載の方法。
【請求項４】
前記ネットワークインターフェースユニットが、所定の時間において複数の前記ＵＥのうちのいずれかから、前記１次ＲＡＴが過剰であるというアップリンクメッセージを受信しなかった後に、前記ノードの前記ネットワークインターフェースユニットからの前記ブロードキャストメッセージのうちの前記１次ＲＡＴが前記過剰状態にあるという表示を送ることを止めるステップを含む、請求項２に記載の方法。
【請求項５】
１次無線アクセス技術（ＲＡＴ）の１次ノード、及び前記１次ＲＡＴ及び２次ＲＡＴを介して通信可能なユーザ機器（ＵＥ）と、通信可能な前記２次ＲＡＴのノードであって：
前記１次ＲＡＴが過剰状態にあることを表示する前記１次ノードからのメッセージを受信する前記ノードのネットワークインターフェースユニットであって、複数の前記ＵＥのうちの１つのＵＥから、前記１次ＲＡＴが過剰状態にあるというアップリンクメッセージを受信する、ネットワークインターフェースユニット；及び
前記ＵＥが前記１次ＲＡＴと通信することを試みないように、ＵＥメッセージを生成する前記ノードの処理ユニットであって、前記ノードの前記ネットワークインターフェースユニットが前記ＵＥへ前記メッセージを送る、処理ユニットを備える、ノード。
【請求項６】
前記１次ＲＡＴが前記過剰状態にあり、かつ各々のＵＥが前記１次ＲＡＴにスイッチバックしないことを表示するブロードキャストメッセージが、前記ネットワークインターフェースユニットから前記ＵＥに対して送られることを含む、請求項５に記載のノード。
【請求項７】
前記ブロードキャストメッセージは、各々のＵＥが前記１次ＲＡＴにスイッチバックしないように、各々のＵＥの中の他のＲＡＴネイバーリストファンクションに影響を及ぼす、請求項６に記載のノード。
【請求項８】
前記ネットワークインターフェースユニットは、所定の時間において複数の前記ＵＥのうちのいずれかから、前記１次ＲＡＴが過剰であるという前記アップリンクメッセージを受信しなかった後に、前記ノードの前記ネットワークインターフェースユニットからの前記ブロードキャストメッセージのうちの前記１次ＲＡＴが前記過剰状態にあるという表示を送ることを止める、請求項６に記載のノード。
【発明の詳細な説明】
【技術分野】
【０００１】
関連出願の相互参照
本出願は、２０１２年８月６日に出願された米国仮特許出願番号６１，６７９，８９３の仮特許出願ではない出願であり、かつそれからの優先権を主張する。
【０００２】
本発明は、ＵＥが別の無線ネットワークから過剰な無線ネットワークへハンドオーバーされることを遅らせることに関する。（本明細書の中において使用されるように、「本発明」又は「発明」に言及する場合、それは例示的な実施形態に関するものであり、かつ必ずしも添付の特許請求の範囲によって包含される全ての実施形態に関するものではない。）より具体的には、本発明は、過剰な無線ネットワークのノードがその過剰状態に関するメッセージを他の無線ネットワークの中のノードに対して送ることによって、ＵＥが無線ネットワークから過剰な無線ネットワークへハンドオーバーされることを遅らせることに関する。
【背景技術】
【０００３】
このセクションは、本発明の様々な側面に関係し得る技術の様々な側面を読者に紹介するためのものである。以下の議論は、本発明をよりよく理解するための情報を提供するためのものである。したがって、以下の議論の陳述はその観点から読まれるべきであり、先行技術の理解のために読まれるべきではないことが理解されるべきである。
【０００４】
高度な無線アクセス技術（ＲＡＴ）が導入されたことによって、多くの移動体通信事業者は、消費者の要求を満たすための新しい技術に基づいてシステムを展開することに集中しているが、未だ種々の理由において従来のシステムを維持することが必要である。種々のＲＡＴｓは種々の無線技術に基づき得るため、事業者によって展開される２つのＲＡＴは、下位互換性がないかもしれない。この理由において、ＲＡＴ間のメカニズムは、事業者のネットワークの範囲内で種々のＲＡＴの間でスイッチングするマルチＲＡＴサポートされたＵＥを、ネットワークが制御することを可能にするように展開された。ＲＡＴ間のメカニズムはまた、複数のＲＡＴがネットワークの中で検出される場合に、どのＲＡＴにキャンプオンされるべきかをＵＥが決定することを補助するための必須要件を提供する。
【０００５】
ネットワークの中でサポートされる複数のＲＡＴを有する事業者は、通常、ＲＡＴのうちの１つを主要なＲＡＴとして設定する。ＵＥがアイドル状態にある一方で、ＵＥは、通常、主要なＲＡＴを検索し、かつ可能ならば主要なＲＡＴにキャンプオンするように事業者によって構成される。
【０００６】
ＵＥは、時々、種々の理由のために主要なＲＡＴにキャンプオンしない。例えば、ＵＥは、２次ＲＡＴサービスのみが提供される領域の中に配置され、かつ両方のＲＡＴからのサービスが提供される領域の中へただ移動する。別の可能性は、ユーザがネットワークにアクセスしようとする場合、１次ＲＡＴから適切なチャネル強度を得ることができないので、ＵＥがネットワーク（すなわち、専用チャネル）にアクセスするために２次ＲＡＴへ行ったということである。ＵＥがどのようにして２次ＲＡＴにキャンプオンするはめになったかということに関わらず、ＵＥがアイドル状態にあるか又はさらにＵＥが専用の割り当てられたチャネルを有する場合、ＵＥを１次ＲＡＴに戻すためのＲＡＴ間のインターワーキング（ＩＷＫ）メカニズムが存在する。ＬＴＥ及びｅＨＲＰＤ  ＩＷＫを実施例として使用しながら、２つのＨＲＰＤ（２次ＲＡＴとして）メカニズムは、ＵＥがＬＴＥ（１次ＲＡＴとして）をキャンプオンするためのＲＡＴとして再設定することを可能にする。２つのメカニズムは、ネットワークからの最小限の制御を有するＭＭＳＳ（マルチモードシステムセレクション）に基づくか、又はネットワークがＵＥのＲＡＴセレクション挙動のより良い制御を有することを可能にする他のＲＡＴネイバーリストメソッドに基づくかのいずれかである。ＵＥがｅＨＲＰＤ専用チャネルにアクセスするために、ｅＡＮがまた、ＵＥをＬＴＥシステムにハンドオーバーするリダイレクションメカニズムを使用できる。
【０００７】
既存のＲＡＴ間のメカニズムは、１次ＲＡＴ（例えば、ＬＴＥ）が２次ＲＡＴ（例えば、ＨＲＰＤのような従来システム）と比較して、より大きなキャパシティー（例えば、より多くのＵＥがネットワークに付随することを可能にする）を有するという仮定の下に、通常の状態において良く機能する。１次ＲＡＴの過剰が生じる場合、既存のＲＡＴ間のメカニズムはまた、１次ＲＡＴの過剰な状況に対処するために、２次ＲＡＴへＵＥをリダイレクトすることができる。
【０００８】
その後、ＲＡＴ間の機能は両方のやり方で働く。１次ＲＡＴの過剰な状況のためにＵＥが２次ＲＡＴへリダイレクトされる場合、２次ＲＡＴのＲＡＴ間のＩＷＫ機能はまた開始し、かつシステムがこれらのＵＥに対するシステムのデフォルトキャンプとして構成される１次ＲＡＴなので、ＵＥを１次ＲＡＴへ戻すようにリダイレクトすることを試みる。２次ＲＡＴは１次ＲＡＴの負荷状態に対する知識を全く有していないので、ＵＥは、２つのＲＡＴの間でピンポンし、かつネットワークの効率を著しく低減し得る。
【発明の概要】
【０００９】
本発明は、１次ＲＡＴの１次ノード並びに１次及び２次ＲＡＴを介して通信可能なＵＥと通信可能な２次ＲＡＴのノードに関する。ノードは、１次ＲＡＴが過剰状態であることを表示する１次ノードからのメッセージを受信するノードのネットワークインターフェースユニットを備える。ノードは、１次ＲＡＴと通信することを試みないようにＵＥに対してＵＥメッセージを生成するノードの処理ユニットを備え、ノードのネットワークインターフェースユニットは、ＵＥに対してメッセージを送る。
【００１０】
本発明は、１次ＲＡＴの１次ノード並びに１次及び２次ＲＡＴを介して通信可能なＵＥと通信可能な２次ＲＡＴのノードが実施する方法に関する。方法は、１次ＲＡＴが過剰状態であることを表示する１次ノードからのメッセージをノードのネットワークインターフェースユニットにおいて受信するステップを含む。１次ＲＡＴと通信することを試みないように、ＵＥに対してノードの処理ユニットを用いてＵＥメッセージを生成するステップが存在する。ノードのネットワークインターフェースユニットを介してＵＥにメッセージを送るステップが存在する。
【００１１】
付随する図面において、本発明の好適な実施形態、及び本発明を実施する好適な方法が示される。
【図面の簡単な説明】
【００１２】
【図１】図１は、例示的な実施形態１に基づく実施例を示す。
【図２】図２は、例示的な実施形態２に基づく実施例を示す。
【図３】図３は、本発明の概略的な表現である。
【図４】図４は、本発明のノードのブロック図である。
【発明を実施するための形態】
【００１３】
今度は図面を参照すると、類似の参照番号がいくつかの図面を通して類似又は同一の部分を参照しており、かつより具体的に、それらのうちの図３及び図４を参照すると、１次ＲＡＴ２０の１次ノード１６並びに１次及び２次ＲＡＴ２２を介して通信可能なＵＥと通信可能な２次ＲＡＴ２２のノード１０が、示されている。ノード１０は、１次ＲＡＴ２０が過剰状態であることを表示する１次ノード１６からのメッセージを受信するノード１０のネットワークインターフェースユニット１２を備える。ノード１０は、１次ＲＡＴ２０と通信することを試みないように、ＵＥに対してＵＥメッセージを生成するノード１０の処理ユニット１４を備え、ノード１０のネットワークインターフェースユニット１２は、ＵＥに対してメッセージを送る。
【００１４】
ブロードキャストメッセージがネットワークインターフェースユニット１２からＵＥに対して送られ、それは、１次ＲＡＴ２０が過剰状態にあり、かつ各々のＵＥは１次ＲＡＴ２０にスイッチバックしないことを表示している。ネットワークインターフェースユニット１２は、任意の複数のＵＥのうちの任意の１つのＵＥから、１次ＲＡＴ２０が過剰状態にあるというアップリンクメッセージを受信する。ブロードキャストメッセージは、各々のＵＥが１次ＲＡＴ２０にスイッチバックしないように、各々のＵＥの中の他のＲＡＴネイバーリストファンクションに影響を及ぼす。ネットワークインターフェースユニット１２は、ネットワークインターフェースユニット１２が所定の時間において任意のＵＥのいずれかから１次ＲＡＴ２０が過剰であるというアップリンクメッセージを受信しなかった後に、１次ＲＡＴが過剰状態にあることを表示するノード１０のネットワークインターフェースユニット１２からのブロードキャストメッセージを送ることを止める。
【００１５】
ネットワークインターフェースユニット１２は、１次及び２次ＲＡＴｓ２２と通信可能なデュアルインターフェース２４から、１次ＲＡＴ２０が過剰状態にあることを受信する。ノード１０のネットワークインターフェースユニット１２は、１次ＲＡＴ２０の過剰状態が終了した場合、デュアルインターフェース２４から過剰が終了したという表示を受信し、かつノード１０の処理ユニット１４は、１次ＲＡＴ２０が過剰状態にあるというブロードキャストメッセージをＵＥに対して送ることを止める。
【００１６】
本発明は、１次ＲＡＴ２０の１次ノード１６並びに１次及び２次ＲＡＴ２０、２２を介して通信可能なＵＥと通信可能な２次ＲＡＴ２２のノード１０を実施する方法に関する。方法は、１次ＲＡＴ２０が過剰状態であることを表示する１次ノード１６からのメッセージを、ノード１０のネットワークインターフェースユニット１２において受信するステップを含む。ＵＥが１次ＲＡＴ２０と通信することを試みないように、ノード１０の処理ユニット１４を用いてＵＥメッセージを生成するステップが存在する。ノード１０のネットワークインターフェースユニット１２を介して、ＵＥにメッセージを送るステップが存在する。
【００１７】
送るステップは、１次ＲＡＴ２０が過剰状態にあり、かつ各々のＵＥは１次ＲＡＴ２０にスイッチバックしないことを表示するブロードキャストメッセージをＵＥに送るステップを含む。受信するステップは、任意の複数のＵＥのうちの任意の１つのＵＥから、１次ＲＡＴ２０が過剰状態にあるというアップリンクメッセージを受信するステップを含む。送るステップは、ブロードキャストメッセージが、各々のＵＥが１次ＲＡＴ２０にスイッチバックしないように各々のＵＥの中の他のＲＡＴネイバーリストファンクションに影響を及ぼすステップを含む。ネットワークインターフェースユニット１２が所定の時間において任意の複数のＵＥのうちのいずれかから１次ＲＡＴ２０が過剰であるというアップリンクメッセージを受信しなかった後に、１次ＲＡＴが過剰状態にあることを表示するノード１０のネットワークインターフェースユニット１２からのブロードキャストメッセージを送ることを止めるステップが存在する。
【００１８】
受信するステップは、１次及び２次ＲＡＴｓ２２と通信可能なデュアルインターフェース２４から、１次ＲＡＴ２０が過剰状態にあることを受信することを含む。ノード１０のネットワークインターフェースユニット１２が、１次ＲＡＴ２０の過剰状態が終了した場合、デュアルインターフェースから過剰が終了したという表示を受信し、かつノード１０の処理ユニット１４が、１次ＲＡＴ２０が過剰状態にあるというブロードキャストメッセージをＵＥに対して送ることを止めるステップが存在する。
【００１９】
本発明の作動において、１次ＲＡＴ２０が過剰状態にあり、かつＵＥを２次ＲＡＴ２２にリダイレクトするように強いられる場合、２次ＲＡＴ２２は１次ＲＡＴ２０の過剰状態について情報を与えられる必要がある。この情報を用いて、２次ＲＡＴ２２は、ＵＥを過剰な１次ＲＡＴ２０に戻すために生じるピンポン効果を低減し又は避けるための適切なアクションを取ることができる。
【００２０】
１つのＲＡＴ（例えば、１次過剰ＲＡＴ）から別のＲＡＴ（例えば、２次ＲＡＴ２２）へ過剰情報を伝達する２つの可能なやり方が存在する：すなわち、
‐  ＵＥがアシストするＲＡＴシステムの過剰表示：すなわち、
１．    １次ＲＡＴ２０システムが過剰である場合、かつＵＥを異なるＲＡＴ（２次）システムにリダイレクトすることが決定された場合、ＵＥに２次ＲＡＴ２２システムへリダイレクトするように指示する１次ＲＡＴ２０のダウンリンクメッセージは、１次ＲＡＴ２０のネットワーク過剰表示を含む。このネットワーク過剰情報は、ダウンリンクメッセージの中の明示的な「ネットワーク過剰」表示であり得、又は黙示的な情報であり得る。ＬＴＥを例として使用して、ＵＥを種々のＬＴＥ周波数へリダイレクトするいくつかの試みが失敗した後に、対応するダウンリンクメッセージ（例えば、解放メッセージ又は拒否メッセージ又は他の適切なダウンリンクメッセージのいずれか）は、２次ＲＡＴ２２の優先度を最も高い優先度（既存の機能）として記した。最も高い優先度を有する２次ＲＡＴ２２を１次ＲＡＴ２０（例えば、ＬＴＥ）と比較することは、ＵＥによってネットワーク過剰とみなされ得る。
２．    ＵＥは、ＲＡＴの再選択／リダイレクトをもたらす１次ＲＡＴ２０からの適切なダウンリンクメッセージのために、２次ＲＡＴ２２へ再選択／リダイレクトする。
３．    ２次ＲＡＴ２２システムを首尾よく取得した後に、ＵＥは、１次ＲＡＴ２０が過剰であることを表示する情報を含む２次ＲＡＴ２２のアップリンクメッセージを送る。ＵＥは、２次ＲＡＴ２２へスイッチングする前に得られた明示的又は黙示的な過剰情報に基づいて、アップリンクメッセージの１次ＲＡＴ２０過剰表示を設定する。ＵＥは、１次ＲＡＴ２０からスイッチングオーバーした後に、この種の表示を搬送するために使用される一番最初のアップリンクメッセージ（２次ＲＡＴ２２へ送られるメッセージ）の中の１次ＲＡＴ２０過剰表示を含むのみである。２次ＲＡＴ２２の中にある間、同じメッセージが任意の理由で再び送られる場合、ＵＥは、このアップリンクメッセージの引き続いての発生の中に、１次ＲＡＴ２０過剰表示をもはや含まない。
４．    （２次ＲＡＴ２２システムの）ＲＡＮが１次ＲＡＴ２０システムが過剰であることを表示するアップリンクメッセージを受信する場合、ＲＡＮは、ＵＥに対して１次ＲＡＴ２０システムへスイッチ（例えば、ハンドオーバー）しないように情報を与えるためのアクションを取る。以下に示すように、この機能を行う種々のやり方が存在する：すなわち、
ＲＡＮは、１次ＲＡＴ２０システムの過剰をブロードキャストするブロードキャストメッセージを使用することができる。この過剰表示がブロードキャストメッセージの中に設定されている限り、ＵＥは、ＲＡＴ２０へスイッチバックすることを試みない（例えば、ＭＭＳＳ又は任意の「他のＲＡＴ間のメカニズム」を使用する）。
ブロードキャストメッセージの中のブロードキャスト１次ＲＡＴ２０システム過剰情報に加えて、他のＲＡＴネイバーリスト機能が実施される場合、ＲＡＮはまた、１次ＲＡＴ２０過剰期間に、この機能を適切に停止し又は修正することができる（例えば、チャネルの優先度を変えるなど）。
５．    ２次ＲＡＴ２２システムのＲＡＮは、それが１次ＲＡＴ２０システム過剰インジケータ設定を有する任意のＵＥからアップリンクメッセージを受信し続ける限り、１次ＲＡＴ２０システム過剰情報をブロードキャストし続ける。
６．    ＵＥは、２次ＲＡＴ２２が「１次ＲＡＴ過剰」表示をブロードキャストする限り、両方のＲＡＴシステムが、１次ＲＡＴ２０へ（例えば、実施されるＲＡＴシステム選択機能に基づいてスイッチング要件が満たされる場合であっても）スイッチバック（例えば、ハンドオーバー又はリダイレクト）することを試みないことをサポートする。
７．    ２次ＲＡＴ２２システムのＲＡＮは、最後のＵＥが過剰情報を含んで以来、ＲＡＮがｘ分の間１次ＲＡＮシステムの過剰を表示する任意のＵＥを受信しない場合、１次ＲＡＴ２０システム過剰情報をブロードキャストすることを停止する。
８．    ＲＡＴ間のメカニズムは、２次ＲＡＴ２２システムのＲＡＮが１次ＲＡＴ２０システム過剰情報をブロードキャストすることを停止した後に、ＵＥ及びＲＡＮサイドの両方における通常の機能を再開する。
‐  ネットワークに基づくＲＡＴシステム過剰表示：すなわち、
１．    １次ＲＡＴ２０システムの無線リソースマネージメント（ＲＲＭ）機能（又はネットワーク過剰状態を管理する任意のネットワークエンティティー）は、２次ＲＡＴ２２システムのＲＲＭ機能に、１次ＲＡＴ２０システムが過剰であることを報告する。この情報は、両方のシステムに接続されているインターフェースを介して、１次ＲＡＴ２０システムから２次ＲＡＴ２２システムへパスされ得る。
２．    ２次ＲＡＴ２２システムが１次ＲＡＴ２０システムから過剰情報を受信した後に、２次システムＲＡＮは、上述の「ＵＥがアシストする」方法のステップ４を実行する。唯一の違いは、ＵＥから過剰情報を取得する代わりに、過剰表示が両方のシステムに接続されているインターフェースを介して１次ＲＡＴ２０システムから来ることである。
３．    ２次ＲＡＴ２２システムのＲＡＮは、それが１次ＲＡＴ２０システムから過剰表示を受信し続け、又は２次ＲＡＴ２２システムが、「過剰が終了した」表示を１次ＲＡＴ２０システムから受信しない限り（すなわち、１次ＲＡＴ２０システムは、この情報を２次ＲＡＴ２２システムに継続的にパスする代わりに、過剰表示を一度だけ送る）、１次ＲＡＴ２０システム過剰表示をブロードキャストし続ける。
４．    ＵＥは、２次ＲＡＴ２２が「１次ＲＡＴ過剰」表示をブロードキャストする限り、両方のＲＡＴシステムが、１次ＲＡＴ２０へ（例えば、実施されるＲＡＴシステム選択機能に基づいてスイッチング要件が満たされる場合であっても）スイッチバック（例えば、ハンドオーバー又はリダイレクト）することを試みないことをサポートする。
５．    １次ＲＡＴ２０システム過剰状態が減少する場合、１次ＲＡＴ２０システムは、「過剰が終了した」表示を２次ＲＡＴ２２システムに送る。この「過剰が終了した」表示を受信するや否や、２次ＲＡＴ２２システムのＲＡＮは、１次ＲＡＴ２０システム過剰表示をブロードキャストすることを止める。
６．    ＲＡＴ間のメカニズムは、２次ＲＡＴ２２システムのＲＡＮが１次ＲＡＴ２０システム過剰情報をブロードキャストすることを停止した後に、ＵＥ及びＲＡＮサイドの両方における通常の機能を再開する。
【００２１】
上述された方法が、種々のＲＡＴシステムを識別するために「１次」及び「２次」を使用するとしても、システムはまた、「２次」システムが「ターゲット」システムとして識別される、「ソース」及び「ターゲット」システムとしてみなされ得る。
【００２２】
上述された方法が、種々のＲＡＴシステムを識別するために「１次」及び「２次」を使用するとしても、システムはまた、「２次」システムが「ターゲット」システムとして識別される、「ソース」及び「ターゲット」システムとしてみなされ得る。「ソース」及び「ターゲット」が使用される場合、本発明は、ＵＥが過剰な「ソース」システムへスイッチバックすることを妨げる方法としてみなされ得る。
【００２３】
上で提供された本発明のコンセプトは、任意のＲＡＴシステムから別のＲＡＴシステムへ適用可能である。説明目的で、ＥＵＴＲＡＮ及びｅＨＲＰＤ  ＩＷＫが、例示目的のために使用され、ここで、ＥＵＴＲＡＮは１次ＲＡＴ２０システムとして識別され、かつｅＨＲＰＤは２次ＲＡＴ２２システムとして識別される。
ＥＵＴＲＡＮ過剰；ＵＥがアシストする方法：すなわち、
‐  ＥＵＴＲＡＮが過剰である場合、それはＵＥをＥＵＴＥＡＮ周波数から拒否又は解放し始め（例えば、ＲＲＣ接続拒否又はＲＲＣ接続解放）、かつＥＵＴＲＡＮ周波数のうちのいくつかの優先度を下げる。全ての利用可能なＥＵＴＲＡＮ周波数が過剰である場合、ＥＵＴＲＡＮは、ＵＥのうちのいくつかを拒否又は解放し始め、かつメッセージの中でＵＥにｅＨＲＰＤシステムをリダイレクト／再選択するように情報提供する。
ｅＮＢは、メッセージがＵＥをＨＲＰＤ（好適な）へリダイレクトするために使用される場合、「ＥＵＴＲＡＮ過剰」を含み；又は
解放／拒否メッセージは、ｃｄｍａ周波数を最も高い優先度とする。
この状況の下で、ＵＥは、「ＥＵＴＲＡＮ過剰」インジケータを設定する。
‐  ＵＥがｅＨＲＰＤへ移動する場合、ＵＥは、「ＥＵＴＲＡＮ過剰」表示を含む、ＨＲＰＤシグナリングメッセージ（例えば、接続リクエストメッセージ又は経路アップデートメッセージ）を送る。ＵＥは、ＥＵＴＲＡＮからｅＨＲＰＤへスイッチングした直後に一度、「ＥＵＴＲＡＮ過剰」表示を含むのみである。例えば、接続リクエストメッセージが「ＥＵＴＲＡＮ過剰」表示を搬送するために使用される場合、ＵＥは、ＥＵＴＲＡＮからｅＨＲＰＤへスイッチした後にＵＥが送る最初の接続リクエストメッセージの中にこの表示を含むのみである。ＵＥは、それがｅＨＲＰＤシステムの中に滞在している限り、任意のそれに続く接続リクエストメッセージの中にこの表示を含まない。
‐  ｅＨＲＰＤｅＡＮは、「ＥＵＴＲＡＮ過剰」表示設定を有するアップリンクメッセージを受信する。その後、ｅＡＮは、「ＥＵＴＲＡＮ過剰」表示設定を有するブロードキャストメッセージ（例えば、クイック構成メッセージ）を記した。ｅＡＮがまた他のＲＡＴネイバーリストメッセージをブロードキャストする場合、ｅＡＮは、ＥＵＴＲＡＮへ戻るアイドル状態のハンドオーバーを実行するために、ＵＥがメッセージの中に含まれる情報を使用しないように、メッセージをブロードキャストすることを止めるか、又はメッセージのコンテンツ調整をするかのいずれかを行うことが可能である。ｅＡＮはまた、過剰タイマーを初期化しかつ開始する。過剰タイマーは、ｘ分の期間（ｘの長さは事業者によって定義される）として定義される。タイマーは、ｅＡＮがタイマーが満了する前に「ＥＵＴＲＡＮ過剰」表示を有する少なくとも１つのＵＥを受信した場合、リセットされる。
‐  ＵＥが「ＥＵＴＲＡＮ過剰」を表示するｅＡＮブロードキャストメッセージを受信した場合、ＵＥは、ＰＲＬ／ＭＭＳＳ機能（又は任意の他のシステム再選択機能）を使用してＥＵＴＲＡＮへスイッチバックすることが一時的にできない。他のＲＡＮネイバーリストメッセージがｅＡＮによってブロードキャストされる場合、ＵＥは、メッセージの中で提供されるガイドラインに従って、ＥＵＴＲＡＮへスイッチバックすべきか否かを判定する。
‐  スイッチングがＬＴＥ過剰状況のためにトリガされたのでなければ、ＵＥがＬＴＥからｅＨＲＰＤへスイッチすることは、アップリンクメッセージ（例えば、接続リクエストメッセージ）の中の「ＥＵＴＲＡＮ過剰」表示を設定しない。
‐  ｅＡＮは、過剰タイマーが満了しない場合、ブロードキャストメッセージの中に「ＥＵＴＲＡＮ過剰」を記し続ける。過剰タイマーが満了した場合、ｅＡＮは、オーバーヘッドメッセージの中の「ＥＵＴＲＡＮ過剰」表示をブロードキャストすることを止める。他のＲＡＴネイバーリストメッセージがサポートされる場合、そのメッセージは通常のパラメータを用いて送信される。
‐  ＵＥが、ｅＡＮが「ＥＵＴＲＡＮ過剰」表示を除去したことを検出した場合、ＵＥは、通常の作動を開始し、かつ適切な時にＥＵＴＲＡＮ再選択を実行することができる。
ＥＵＴＲＡＮ過剰；ネットワークに基づく表示方法：すなわち
‐  ＥＵＴＲＡＮが過剰である場合、それはＵＥをＥＵＴＥＡＮ周波数から拒否又は解放し始め（例えば、ＲＲＣ接続拒否又はＲＲＣ接続解放）、かつＥＵＴＲＡＮ周波数のうちのいくつかの優先度を下げる。全ての利用可能なＥＵＴＲＡＮ周波数が過剰である場合、ＥＵＴＲＡＮは、ＵＥのうちのいくつかを拒絶又は解放し始める。同一場所に配置されるネットワーク（ＬＴＥ／ＣＤＭＡ）又は接続されたＲＡＴ間のネットワークに対して、「ＥＵＴＲＡＮ過剰」表示は、ＬＴＥ  ＲＲＭ構成要素からｃｄｍａ  ＲＲＭ構成要素へパスされる。使用されるインターフェースは、プロプライエタリインターフェースであり得、又は標準的に定義されたインターフェースであり得る。
‐  「ＥＵＴＲＡＮ過剰」表示をＬＴＥネットワークから受信するや否や、ｅＨＲＰＤｅＡＮは、「ＥＵＴＲＡＮ過剰」表示を有するブロードキャストメッセージ（例えば、クイック構成メッセージ）を記した。ｅＡＮがまた他のＲＡＴネイバーリストメッセージをブロードキャストする場合、ｅＡＮは、ＥＵＴＲＡＮへ戻るアイドル状態のハンドオーバーを実行するために、ＵＥがメッセージの中に含まれる情報を使用しないように、メッセージをブロードキャストすることを止めるか、又はメッセージのコンテンツ調整をするかのいずれかである。
‐  ＵＥが「ＥＵＴＲＡＮ過剰」を表示するｅＡＮブロードキャストメッセージを受信した場合、ＵＥは、ＰＲＬ／ＭＭＳＳ機能（又は任意の他のシステム再選択機能）を使用して一時的にＥＵＴＲＡＮへスイッチバックすることができない。他のＲＡＮネイバーリストメッセージがｅＡＮによってブロードキャストされる場合、ＵＥは、メッセージの中で提供されるガイドラインに従って、ＥＵＴＲＡＮへスイッチバックすべきか否かを判定する。
‐  ＬＴＥネットワーク過剰状態が減少する場合、ＬＴＥネットワークは「ＬＴＥ非過剰」表示をＨＲＰＤネットワークへパスする。この表示を受信するや否や、オーバーヘッドメッセージの中の「ＥＵＴＲＡＮ過剰」表示をブロードキャストすることを止める。他のＲＡＴネイバーリストメッセージがサポートされる場合、そのメッセージは通常のパラメータを用いて送信される。
‐  ＵＥが、ｅＡＮが「ＥＵＴＲＡＮ過剰」表示を除去したことを検出した場合、ＵＥは、通常の作動を開始し、かつ適切な時にＥＵＴＲＡＮ再選択を実行することができる。
例示的な実施形態１：
１．    ＬＴＥ  ＲＲＭは、「ＥＵＴＲＡＮ過剰」表示をｅＨＲＰＤ  ＰＲＭへ送る。
２．    ｅＨＲＰＤｅＡＮは、オーバーヘッドメッセージ（例えば、クイック構成）の中の「ＥＵＴＲＡＮ過剰」表示をブロードキャストする。他のＲＡＮネイバーリストメッセージがまた、サポートされる場合、ｅＡＮはメッセージを送ることを停止するためのアクション（又はメッセージに対する他のトリートメント）を取る。
３．    ＵＥがｅＡＮから「ＥＵＴＲＡＮ過剰」表示を検出する場合、ＵＥは、ｅＨＲＰＤシステムの中にあるままであり、かつＬＴＥ再選択メカニズム（例えば、ＭＭＳＳ又は他の方法に基づくＬＴＥ再選択）を実行しない。
４．    ＬＴＥ  ＲＲＭは、「ＥＵＴＲＡＮ非過剰」表示をｅＨＲＰＤ  ＰＲＭへ送る。
５．    ｅＨＲＰＤｅＡＮは、オーバーヘッドメッセージの中の「ＥＵＴＲＡＮ過剰」表示をブロードキャストすることを止める。他のＲＡＮネイバーリストメッセージがまた、サポートされる場合、ｅＡＮは他のＲＡＴネイバーリストメッセージ通常作動を再開する。
６．    ＵＥは、ｅＡＮから「ＥＵＴＲＡＮ非過剰」表示が存在しないことを検出する。ＵＥは、通常作動を再開し、かつスイッチング要件が満たされる場合、ＬＴＥへ再選択及びスイッチする。
例示的な実施形態２：
１．    ｅＮＢは、ｅＨＲＰＤへのリダイレクションを有するＲＲＣ接続解放メッセージを送り、かつ「ＥＵＴＲＡＮ過剰」表示を含む。
２．    ｅＮＢダウンリンクメッセージを受信するや否や、ＵＥは、ｅＨＲＰＤシステムへスイッチする。その後、ＵＥは、接続リクエストメッセージを送り、かつｅＡＮに対する「ＥＵＴＲＡＮ過剰」表示を含む。ＬＴＥからｅＨＲＰＤシステムへスイッチしたＵＥは、ｅＡＮに送られる最初の接続リクエストメッセージの中に「ＥＵＴＲＡＮ過剰」表示を含むのみである。ＵＥがｅＨＲＰＤシステムの中に残っている限り、それは後続の接続リクエストメッセージの中の表示を含まない。
３．    「ＥＵＴＲＡＮ過剰」表示を有する、最初のＵＥのアップリンクメッセージ（例えば、接続リクエストメッセージ）を受信するや否や、ｅＡＮはＲＲＭをアップデートし、かつ「ＥＵＴＲＡＮ過剰」表示を有するブロードキャストオーバーヘッドメッセージを送り始める。ｅＡＮ（又はＲＲＭ）は、ＬＴＥオーバーヘッドタイマーを初期化しかつ開始する。
４．    ＵＥは、「ＥＵＴＲＡＮ過剰」を有するオーバーヘッドメッセージを受信すると、ＬＴＥシステムの再選択機能を一時的に無効化し、かつＬＴＥシステムへスイッチすることを試みない。
５．    ｅＡＮは、任意のそれ以上のＵＥが「ＥＵＴＲＡＮ過剰」表示を有する接続リクエストメッセージを送ったことを検出せず、かつＬＴＥ過剰タイマーが満了する。ｅＡＮは、オーバーヘッドメッセージの中に「ＥＵＴＲＡＮ過剰」表示を含むことを止める。
６．    ＵＥは、ｅＡＮから「ＥＵＴＲＡＮ非過剰」表示が存在しないことを検出する。ＵＥは、通常作動を再開し、かつスイッチング要件が満たされる場合、ＬＴＥへ再選択及びスイッチする。
例示的な実施形態3：
１．    ｅＮＢは、ｅＨＲＰＤへのリダイレクションを有するＲＲＣ接続解放メッセージを送り、かつ「ＥＵＴＲＡＮ過剰」表示を含む。
２．    ｅＮＢダウンリンクメッセージを受信するや否や、ＵＥは、ｅＨＲＰＤシステムへスイッチする。その後、ＵＥは、接続リクエストメッセージを送り、かつｅＡＮに対する「ＥＵＴＲＡＮ過剰」表示を含む。ＬＴＥからｅＨＲＰＤシステムへスイッチしたＵＥは、ｅＡＮに送られる最初の接続リクエストメッセージの中に「ＥＵＴＲＡＮ過剰」表示を含むのみである。ＵＥがｅＨＲＰＤシステムの中に残っている限り、それは後続の接続リクエストメッセージの中の表示を含まない。
３．    「ＥＵＴＲＡＮ過剰」表示を有する、最初のＵＥのアップリンクメッセージ（例えば、接続リクエストメッセージ）を受信するや否や、ｅＡＮはＲＲＭをアップデートし、かつ「ＥＵＴＲＡＮ過剰」表示を有するブロードキャストオーバーヘッドメッセージを送り始める。ｅＡＮ（又はＲＲＭ）は、ＬＴＥオーバーヘッドタイマーを初期化しかつ開始する。ｅＡＮは、ＨＲＰＤチャネルを取得することができる限り、ＵＥがＬＴＥへスイッチすることができないように、他のＲＡＴネイバーリストメッセージをブロードキャストすることを止めるか、他のＲＡＴネイバーリストメッセージの中のパラメータを修正するかのいずれかである。
４．    ＵＥは、「ＥＵＴＲＡＮ過剰」を有するオーバーヘッドメッセージを受信すると、ＬＴＥシステムの再選択機能を一時的に無効化し、かつＬＴＥシステムへスイッチすることを試みない。
５．    ｅＡＮは、任意のそれ以上のＵＥｓが「ＥＵＴＲＡＮ過剰」表示を有する接続リクエストメッセージを送ったことを検出せず、かつＬＴＥ過剰タイマーが満了する。ｅＡＮは、オーバーヘッドメッセージの中に「ＥＵＴＲＡＮ過剰」表示を含むことを止める。ｅＡＮはまた、他のＲＡＴネイバーリストメッセージをブロードキャストすること、及び他のＲＡＴネイバーリストメッセージに対して通常のパラメータを使用することを再開する。
６．    ＵＥは、ｅＡＮから「ＥＵＴＲＡＮ非過剰」表示が存在しないことを検出する。ＵＥは、通常作動を再開し、かつスイッチング要件が満たされる場合、ＬＴＥへ再選択及びスイッチする。
【００２４】
本発明は、好適な（又は一次／ソース）ネットワークが過剰である場合、バックアップ（又は２次／ターゲット）ネットワークから好適な（又は１次／ソース）ネットワークへＵＥがスイッチングバックすることを妨げるメカニズムを提供する。メカニズムは、好適なネットワークにおける過剰状況のために２つのシステムの間でＵＥがピンポンすることを妨げる。
略語
ｅＡＮ：        強化されたアクセスネットワーク
ＨＲＰＤ：      高レートパケットデータ
ＬＴＥ：        ロングタームエボリューション
ＵＥ：          ユーザ機器
Ｅ‐ＵＴＲＡＮ：進化したＵＭＴＳテレストリアル無線アクセス
ＲＡＴ：        無線アクセス技術
ＲＲＭ：        無線リソースマネージメント
【００２５】
説明する目的で前述の実施形態の中において本発明が詳細に説明されてきたが、そのような詳細は説明目的だけのためであり、以下の特許請求の範囲によって定義されることを除いて、本発明の精神及び範囲から逸脱することなしに、当業者によって様々な変形例が作られ得ることは理解されるべきである。
【図１】
0005969128.tif 000002
【図２】
0005969128.tif 000003
【図３】
0005969128.tif 000004
【図４】
0005969128.tif 000005